【事件の表示】
　平成２年特許願第１１６０６７号「ピアノハンドル式スイッチ」拒絶査定に対する審判事件（平成４年１月２０日出願公開、特開平４−１４７２４）について、次のとおり審決する。
【結論】
　本件審判の請求は、成り立たない。
【理由】
１．本願は、平成２年５月２日の出願であって、その発明は、明細書及び図面の記載からみて、特許請求の範囲の請求項１乃至請求項３に記載されたとおりのものと認められるところ、その請求項１に記載された発明は以下のとおりである。
「中間部に細長で長手方向に係止孔により構成された３つの器具取付け手段を有する窓孔を備えた取付枠と、それぞれ短方向の外形寸法が窓孔の長手方向の略１／３に形成されて取付枠の器具取付け手段である係止孔に係止して取付けられる係止爪を有する１個のスイッチと、窓孔に対向し長手方向の寸法が窓孔の長手方向の外形寸法より大きい細長の開口を有し且つ取付枠の前方に配置される化粧枠と、化粧枠の開口の全部を覆う大きさに形成されると共にスイッチに対向させて化粧枠の開口に配設される１個のピアノハンドルとを備え、スイッチにピアノハンドルの運動により操作される操作部と、該操作部の運動方向を接点部を開閉するための反転ハンドルの運動に変換するための変換手段とを設けて成ることを特徴とするスイッチ装置。」（以下、「本願発明」という。）
２．これに対して、原査定の拒絶理由に引用された特開平１−１９７９２４号公報（以下「引用例１」という。）には、「スイッチ装置」に関して以下のことが記載されている。
▲１▼「操作面の大きい操作体を用いるスイッチ装置において、スイッチ本体を１個〜３個取付けて用いることができるとともに２個および３個取付けて用いるものであってもスイッチ本体を共用でき、かつ、表示素子を設けた３個のスイッチ本体を連設したものにおいて、それぞれに対応する操作体の中央部において表示が適確に行なえるようにしたスイッチ装置を提供することを目的とする。」（第２頁右上欄第１４行〜同頁左下欄第１行）
▲２▼「１は取付枠で、この取付枠１はたとえば合成樹脂で形成され、中間部に細長の器具取付孔２を備え、両端部に造営物などの壁面３に埋設された配線ボックス４の取付部５、５に取付け得るピッチをもった対をなす取付孔６、６を設けているとともにプレート取付用孔７、７を設けている。そして、この取付枠１は器具取付孔２の一側に器具の一側部に突設した突片が係合する係合孔８および器具の他方に突設した突片が弾性的に係合する係止片９を備えて形成した３組の器具固着手段１０を設けている。この取付枠１は一般にワンタッチサポートと称されるものを可とするが、金属で形成されるものであってもよい。」（第３頁左下欄第７〜１９行）
▲３▼「本実施例のスイッチ本体１１の詳細を第１１図について説明する。スイッチ本体１１は合成樹脂で箱状に形成されたケース１３、このケース１３内に設けた固定接点１４を有した端子部１５、固定接点１４に接離する可動接点１６を有する可動片１７、この可動片１７にスプリング１８を介して設けられた板ばね１９を存して操作部１２を形成した揺動自在のハンドル部２０、可動接点１６、端子部１５に設けられた鎖錠片２１、この鎖錠片２１に接続する電線の係合を解除する解除釦２２、表示素子としてのネオンランプ２３および発光ダイオード２４を接続したプリント基板２５、電流トランス２６、操作部１２に対向する一対の孔２７、２７を有するとともに前面中央部に表示素子としてのネオンランプ２３および発光ダイオード２４が臨む孔２８、２８を有しケース１３に装着するカバー２９および取付枠１の係合孔９および係止孔９に係合する突片３０、３０を有しケース１３およびカバー２９を固着する取付金具３１を含んで形成されている。
　そして、カバー２９は短方向の略中央部に山形状の軸部３２を設け、この軸部３２の両傾斜面に孔２８、２８を設けている。本実施例におけるスイッチ本体１１はオン、オフのいずれの状態でも表示素子が点灯し、表示素子のネオンランプ２３および発光ダイオード２４の光色の異いによって表示するように形成されている。
　３３はプレートで、このプレート３３は取付枠１の器具取付孔２に対向する細長の窓孔３４を有し取付枠１のプレート取付用孔７、７に嵌合する突部（図示しない。）を設け、取付枠１に取付けられる。このプレート３３は本実施例においては開口３５を有し、この開口３５の周辺部に凹部３６を形成した基体部３７、この基体部３７の凹部３６に着脱可能に嵌合する化粧枠部３８を含んで形成されている。そして、本実施例において窓孔３４はこの化粧枠部３８に形成したものを示している。そして、このプレート３３の窓孔３４は長手方向の寸法Ａをスイッチ本体１１の短寸法Ｂの略４倍で形成している。
　３９は操作体で、この操作体３９はスイッチ本体１１の操作部１２に装着され、かつプレート３３の窓孔３４に臨んで窓孔３４を塞ぐよう形成されている。
　そして、操作体３９は第７図および第８図に示すように、スイッチ本体１１を１個取付枠１に取付けて１個用として用いる場合は、プレート３３の窓孔３４を塞ぐ細長板状に形成された１個用のものをスイッチ本体１１の操作部１２に装着して用いる。」（第３頁右下欄第４行〜第４頁右上欄第８行）
　また、同じく引用された特開昭６１−１７３４２８号公報（以下「引用例２」という。）には、「スイッチ装置」に関して以下のことが記載されている。
▲１▼「この発明は、プレート面とスイッチとの外観上の関係が調和しているとともに、接点の開閉動作が確実に行われるスイッチ装置を提供することを目的とする。」（第２頁右上欄第８〜ｌ１行）
▲２▼「この発明にかかるスイッチ装置は、第１図および第２図にみるように、接点機構を内蔵するボディ１と、ボディ１外方から前記接点機構を操作する部分である広面積のハンドル２と、ハンドル２の表面を露出させる開口３ａを有するプレート３と、これを受けるプレート枠４と、前記プレート３およびプレート枠４の両者問に介在され、内部に形成された開口部５ａに前記ボディ１を受け入れた状態で壁面（図示せず）に取り付けられるようになっている取付枠５とをそれぞれ備えている。第２図および第３図にみるように、ボディ１表面には、ボディ１から出没する方向に往復移動し、ボディ１内の可動接触部１５に固定接点１４，１６の開閉動作を行わせるよう働く移動体（押ボタン）８が露出している。前記ハンドル２は、第２図および第５図にみるように、その一端側で前記移動体８を覆うとともに、他端側をボディ１に軸着させて、ピアノタッチ式になっている。その操作時には、前記一端側が押し込まれると、移動体８が押圧される。移動体８は、前記押圧を解除した際にハンドル２とプレート３の表面とがほぼ面一になるようスプリング６により押圧解除方向に常に付勢されている。それにより、プレート面とハンドル（スイッチ）との外観上の関係が調和するようになる。」（第２頁左下欄第１５行〜同頁右下欄第１９行）
▲３▼「すなわち、第２図および第５図にみるように、ハンドル２の一端側裏面に互いに相対するよう突出片２ａ，２ａが設けられており、その外側面にそれぞれ短軸１０，１０が設けられている。これら短軸１０，１０は、第１図にもみるように、ボディ１に取り付けられた立上り片１１，１１に形成されている各孔１１ａ，ｌｌａに枢着されている。したがって、ハンドル２は、前記孔１１ａ，ｌｌａを支点として回動するのである。移動体８を付勢するスプリング６は、例えば、第２図および第３図にみるように、移動体８の内部に形成されている凹部８ａと、移動体８の下方に位置決め固定されている受け板６ａとの間に設けられる。この受け板６ａには、移動体８に突設されている作動子２０を受け入れる孔６ｂが形成されている。」（第３頁左上欄第６行〜同頁右上欄第１行）
▲４▼「ボディ１内には、揺動することにより接点１４および接点１６の開閉を行うようになっている可動接触部１５が設けられている。この可動接触部１５は、その側面に取り付けられている反転カム１９の両肩１９ａ，１９ａが移動体８の押圧時に移動体８から突設されている作動子２０に交互に押圧されることにより、正逆方向に揺動するようになっている。」（第３頁左下欄第７〜１４行）
▲５▼「なお、上記実施例においては、第２図にみるように作動子２０の先端と反転カム１９との問の距離が短くなっており、かつ、ハンドル２の移動体８との当接個所に突起３４が設けられている。そのために、ハンドル２の押圧距離が少なくてすんでいる。」（第４頁左上欄第１０〜１５行）
▲６▼「ボディ表面には、ボディから出没する方向に往復移動し、ボディ内の可動接触部に接点の開閉動作を行わせるよう働く移動体が露出しており、ハンドルがその一端側で前記移動体を覆うとともに、他端側をボディに軸着させていて、操作時には前記一端側が押し込まれると移動体が押圧されるが、移動体は前記押圧を解除した際にハンドルとプレート面がほぼ面一になるよう押圧解除方向に常に付勢されていることを特徴としているので、プレート面とハンドル（スイッチ）との外観上の関係が調和するようになるとともに、接点の開閉動作が確実に行われるようになるという効果がもたらされるのである。」（第４頁右上欄第１８行〜同左下欄第１１行）
３．本願発明と引用例１に記載された発明とを対比する。
　引用例１に記載の、「係合孔８」、「器具取付孔２」、「突片３０」、「スイッチ本体１１」、「化粧枠部３８」は、それぞれ、本件発明における「係止孔」、「窓孔」、「係止爪」、「スイッチ」、「化粧枠」にそれぞれ相当する。
　そして、引用例１に記載の器具取付孔２は、中間部に細長で長手方向に係合孔８により構成された３つの器具取付け手段を有するものである。
　また、引用例１に記載のスイッチ本体１１は、短方向の外形寸法が取付孔２の長手方向の略１／３に形成されて取付枠の器具取付け手段である係合孔８に係止して取付られる突片３０を有するものである。
　さらに、引用例１に記載の化粧枠部３８は取付孔８に対向し長手方向の寸法が取付孔８の長手方向の外形寸法より大きい細長の開口を有し且つ取付枠の前方に配置されるものである。
　そうすると、両者は、「中間部に細長で長手方向に係止孔により構成された３つの器具取付け手段を有する窓孔を備えた取付枠と、それぞれ短方向の外形寸法が窓孔の長手方向の略１／３に形成されて取付枠の器具取付け手段である係止孔に係止して取付けられる係止爪を有する１個のスイッチと、窓孔に対向し長手方向の寸法が窓孔の長手方向の外形寸法より大きい細長の開口を有し且つ取付枠の前方に配置される化粧枠とを設けて成ることを特徴とするスイッチ装置。」である点で一致するものであり、一方、以下の点で相違するものと認める。
（相違点）
　本願発明が、「化粧枠の開口の全部を覆う大きさに形成されると共にスイッチに対向させて化粧枠の開口に配設される１個のピアノハンドルとを備え、スイッチにピアノハンドルの運動により操作される操作部と、該操作部の運動方向を接点部を開閉するための反転ハンドルの運動に変換するための変換手段」を具備しているのに対して、引用例１に記載の操作体３９は該構成を具備していない点。
４．そこで上記相違点について検討する。
　上記ピアノタッチの操作による操作性の向上のために、化粧枠（プレート３）の開口の全部を覆う大きさに形成されると共にスイッチ（ボディ１）に対向させて化粧枠（プレート３）の開口に配設される１個のピアノハンドル（ハンドル２）を備え、スイッチ（ボディ１）にピアノハンドル（ハンドル２）の運動により操作される操作部（移動体８）と、該操作部（移動体８）の運動方向を接点部（接点１６）を開閉するための反転ハンドル（反転カム１９）の運動に変換するための変換手段（作動子２０）とを設けて成るスイッチ装置は、引用例２に記載されている。
　そして、引用例１及び引用例２は、共にスイッチ装置に関する発明であり、引用例１に記載のスイッチ装置に、操作性向上のために、引用例２に記載の発明を適用することに、格別の困難性は認められない。
　さらに、本願発明の奏する効果は、引用例１に記載の発明の奏する部品の共通化及びハンドルの面積が大きくなることによる操作性の向上なる効果、及び引用例２に記載の発明の奏するピアノタッチの操作による操作性の向上なる効果を単に組合わせた効果に過ぎない。
　したがって、本願発明は、引用例１及び引用例２に記載された発明に基づいて当業者が容易に成し得たものというべきである。
５．以上のとおりであるから、本願発明は、特許法第２９条第２項の規定により特許を受けることはできない。
　よって、結論のとおり審決する、